(57)【要約】【課題】カード通信中にユーザーが誤ってカードを排出することを防止し、データ処理の信頼性を著しく向上したコネクタを提供すること。【解決手段】カードイジェクト機構を備えたコネクタ１０において、ロックプレート８を操作して、イジェクトプレート１１との係合を解除し、且つ回転自在にコネクタに配置されたレバー５と、前記レバー５を駆動するプランジャー７を移動自在に保持したソレノイド６とを備えている。レバー５はプランジャー７の移動に連動して回転するものであり、ソレノイド６への通電をＯＮ又はＯＦＦすることによって、プランジャー７を移動させて、前記カード２１を離脱するようにした。【選択図】　　　図１
2004047275.tif 000002
【特許請求の範囲】
【請求項１】
カードと接続し、前記カードを離脱させるイジェクト機構を備え、前記イジェクト機構は、前記カードと当接し、前記カードを離脱させるイジェクトプレートと、前記イジェクトプレートを常時前記カードの離脱方向へ付勢する弾性部材と、前記カードが挿入された際に、前記イジェクトプレートと係合し、前記イジェクトプレートが離脱方向へ移動することを阻止するロックプレートとを備えたコネクタにおいて、
更に、前記ロックプレートを操作して、前記イジェクトプレートとの係合を解除し、且つ回転自在にコネクタに配置されたレバーと、前記レバーを駆動するプランジャーを移動自在に保持したソレノイドとを備え、
前記レバーは前記プランジャーの移動に連動して回転するものであり、前記ソレノイドへの通電をＯＮ又はＯＦＦすることによって、前記プランジャーを移動させて、前記カードを離脱するようにしたことを特徴とするカードイジェクト機構を備えたコネクタ。
【請求項２】
請求項１記載のカードイジェクト機構を備えたコネクタにおいて、前記コネクタは前記カードの挿入を検知するためのスイッチと、前記カードの嵌合離脱により摺動するスライダとを更に有し、前記スライダは当該スライダの摺動により、前記スイッチをＯＮ／ＯＦＦする操作部を備えていることを特徴とするカードイジェクト機構を備えたコネクタ。
【請求項３】
請求項２記載のカードイジェクト機構を備えたコネクタにおいて、前記スイッチのＯＮ／ＯＦＦによって、前記カードの装着の有無を検知するとともに、前記カードは通信に用いられ、前記カードが装着され且つ通信中で有る場合には、前記ソレノイドへの通電をＯＮ／ＯＦＦして、前記レバーの駆動又は現在位置を維持させ、前記ロックプレートと前記イジェクトプレートとの係合を維持するように構成されていることを特徴とするカードイジェクト機構を備えたコネクタ。
【請求項４】
コネクタに設けられ、カードと接続し、前記カードを離脱させるイジェクト機構であって、前記カードと当接し、前記カードを離脱させるイジェクトプレートと、前記イジェクトプレートを常時前記カードの離脱方向へ付勢する弾性部材と、前記カードが挿入された際に、前記イジェクトプレートと係合し、前記イジェクトプレートが離脱方向へ移動することを阻止するロックプレートとを備えた前記カードイジェクト機構において、
更に、前記ロックプレートを操作して、前記イジェクトプレートとの係合を解除し、且つ回転自在にコネクタに配置されたレバーと、前記レバーを駆動するプランジャーを移動自在に保持したソレノイドとを備え、
前記レバーは前記プランジャーの移動に連動して回転するものであり、前記ソレノイドへの通電をＯＮ又はＯＦＦすることによって、前記プランジャーを移動させて、前記カードを離脱するようにしたことを特徴とするカードイジェクト機構。
【請求項５】
請求項４記載のカードイジェクト機構において、前記カードの嵌合離脱により摺動するスライダとを更に有し、前記スライダは、当該スライダの摺動により、前記カードの挿入を検知するためのスイッチをＯＮ／ＯＦＦする操作部を備えていることを特徴とするカードイジェクト機構。
【請求項６】
請求項５記載のカードイジェクト機構において、前記スイッチのＯＮ／ＯＦＦによって、前記カードの装着の有無を検知するとともに、前記カードは通信に用いられ、カードが装着され、且つ通信中で有る場合には、前記ソレノイドへの通電をＯＮ／ＯＦＦして、前記レバーの駆動又は現在位置を維持させ、前記ロックプレートと、前記イジェクトプレートとの係合を維持するように構成されていることを特徴とするカードイジェクト機構。
【発明の詳細な説明】
【０００１】
【発明の属する技術分野】
本発明は、ＩＣカード、メモリカード等のカード類を装着するためのコネクタに関し、詳しくは、カードのイジェクト及びロック機構を備えたカード用コネクタに関する。
【０００２】
【従来の技術】
従来、この種のカード用コネクタとしてカードの引き抜きを検知する機構が設けられたものが提案されている（特開平７−３７０４４号公報（以下、従来技術１と呼ぶ）、参照）。従来技術１によるコネクタでは、カード装着・離脱の際にカードの移動に伴って摺動するスライダーを設け、このスライダーが押し込まれることによって作動する検知スイッチを設けられている。
【０００３】
一方、特開平８−１６１２３３号公報（以下、従来技術２と呼ぶ）には、カード使用中において、カードの引き抜きを防止すべく、ソレノイドによって、駆動されるロック機構を備えたメモリーカードシステムが開示されている。
【０００４】
また、特開平８−１４７４２７号公報（以下、従来技術３と呼ぶ）には、カードが装着された電子機器の使用中において、カードの排出を阻止するために、カードのイジェクトボタンをロックしたり、イジェクトボタンに動作が伝わらないように動作するコネクタが開示されている。
【０００５】
ところで、従来において、カードロック機構を有するコネクタとして代表的なものに、特許第３２００７３６号公報（以下、従来技術４と呼ぶ、参照）に開示されたものがある。
【０００６】
図７乃至図９は従来技術４によるカードロック機構を有するコネクタを示す図で、図７はＩＣカード挿入されてロックされた状態を示す正面図、図８はロックが解除され、ＩＣカードが排出されたときの正面図、図９はコネクタにＩＣカードが挿入されたときの側面から見た断面図である。
【０００７】
図７乃至図９を参照すると、コネクタ５０のベースインシュレータ１は、略Ｕ字型にモールド成形され、コネクタのカバー２は、略長方形にモールド成形されている。
【０００８】
ベースインシュレータ１の中央部には、多数のコンタクト３が取り付けられ、また、ベースインシュレータ１には、略長方形のスライダ４が、図８に２点鎖線及び破線によって示される位置と図７に２点鎖線によって示される位置との間をスライドすることができるように装着されている。
【０００９】
スライダ４のスライド方向の左右両側は、断面コ字状に形成され、また、スライダ４の後端部から下方に突当部４Ｃが形成されている。スライダ４の後端部付近の左右両側に設けられた一対の突起４Ａは、ベースインシュレータ１の後端部付近の左右両側に設けられた一対の長溝１Ａに挿入されている。
【００１０】
ベースインシュレータ１の右外側部には、ボタン５５とイジェクトバー５６とが一体となってベースインシュレータ１の右外側部に沿って移動することができるように取り付けられている。ボタン５５は、スプリング５７によって図８の位置から図７の位置へ移動するように常時付勢されている。
【００１１】
ベースインシュレータ１の右側表面の前半部には、ロックプレート８が、軸９を中心としてスプリング１６によって左回りに付勢されて回転することができるように取り付けられている。ロックプレート８には、イジェクトバー５６の突出斜面部５６Ａに押される折曲部８Ａと、ＩＣカード２１の後端面をロックするロック部８Ｂと、後述するイジェクトプレート１１の一端に設けられた折曲部１１Ａに当接する制止部８Ｃが、設けられている。
【００１２】
ベースインシュレータ１の右側表面の後半部には、イジェクトプレート１１が、スプリング１２に付勢されて図８に示される位置と図７に示される位置との間を移動することができるように装着されている。
【００１３】
イジェクトプレート１１は、ベースインシュレータ１に設けられた長溝１Ｂに挿入されている。イジェクトプレート１１の他端に設けられた折曲部１１Ｂは、ＩＣカード２１がコネクタに挿入されるときには、スライダ４の後端面４Ｂによって押され、ＩＣカード２１がコネクタから排出されるときには、スライダ４の後端面４Ｂを押す。
【００１４】
ベースインシュレータ１の中央部の付近には、スイッチ部１３が設けられ、スイッチ部１３は、スライダ４のスライドによって開閉される。
【００１５】
従来技術４によるコネクタに、ＩＣカード２１を挿入するときの動作について説明する。
【００１６】
図８に示されるＩＣカード２１がコネクタから排出されたときの状態、換言すると、ＩＣカード２１がコネクタに挿入を完了される直前の状態（ただし、ボタン５５は、一点鎖線で示される位置に復帰している。）では、ＩＣカード２１の前方の約３分の１は、スライダ４の下面に配置されて、スライダ４のスライド方向の左右両側に形成された断面コ字状部に支持され、スイッチ部１３は、まだ接続されていない。この状態で、ＩＣカード２１の後端面２１Ａを指先によって図７に示される矢印方向へ押すと、ＩＣカード２１の前端面２１Ｂがスライダ４の後端部から下方に突出した突当部４Ｃを押すため、ＩＣカード２１とスライダ４は、コネクタの最奥部まで一体的に挿入される。すると、スライダ４の後端部の下面は、スイッチ部１３を接続し、また、スライダ４の後端面４Ｂは、イジェクトプレート１１の折曲部１１Ｂを押す。したがって、イジェクトプレート１１は、図８に示される位置から図７に示される位置までスプリング１２の付勢力に抵抗しながら移動する。このとき、今までイジェクトプレート１１の折曲部１１Ａによって右回転を阻止されていたロックプレート８は、スプリング１６の付勢力によって図７に示される位置まで右回転する。よって、ロックプレート８のロック部８Ｂは、ＩＣカード２１の後端面２１Ａをロックし、制止部８Ｃは、イジェクトプレート１１の折曲部１１Ａに当接する。ゆえに、ＩＣカード２１がコネクタに挿入された図７に示される状態が、維持される。この状態では、ＩＣカード２１のコンタクト（図示せず）は、コネクタのコンタクト３に接触する。
【００１７】
ＩＣカード２１が挿入される前のコネクタに、ＩＣカード２１の挿入を完了すると、このコネクタでは、ＩＣカード２１の挿入操作のみによって、ロックプレート８のロック部８ＢがＩＣカード２１をロックする作用と、スライダ４がスイッチ部１３を接続する作用と、ＩＣカード２１のコンタクトがコネクタのコンタクト３に接触する作用の３つの作用が、得られる。
【００１８】
次に、従来技術４において、ＩＣカード２１をコネクタから排出するときの動作について説明する。
【００１９】
図７に示されるＩＣカード２１がコネクタに挿入された状態において、ボタン５５をスプリング５７の付勢力に抵抗しながら押すと、イジェクトバー５６の突出斜面部５６Ａがロックプレート８の折曲部８Ａを押すので、ロックプレート８は軸９を中心としてスプリング１６の付勢力に抵抗しながら右回転する。すると、ロックプレート８のロック部８ＢがＩＣカード２１の後端面２１Ａから離脱し、また、制止部８Ｃがイジェクトプレート１１の折曲部１１Ａから離脱するので、イジェクトプレート１１はスプリング１２の付勢力によって移動する。このとき、イジェクトプレート１１の折曲部１１Ｂがスライダ４の後端面４Ｂを押すから、スライダ４とＩＣカード２１は一体となってスライドし、ＩＣカード２１はコネクタから排出される。また、スイッチ部１３は、接続を遮断される。
【００２０】
更に、従来技術４によるコネクタにおいては、ＩＣカード２１の損傷とコネクタの各コンタクト３の摩耗を抑制するために、下記の工夫が施されている。
【００２１】
スライダ４の左右両側面部に各２個の突起部４Ｄを設け、各２個の突起部４Ｄに対応するベースインシュレータ１の４箇所にカム溝孔１Ｃを設ける。図９に示すように、各カム溝孔１Ｃは、長い水平部１Ｃ１と、傾斜部１Ｃ２と、短い水平部１Ｃ３が連続した形状に形成される。
【００２２】
【発明が解決しようとする課題】
しかしながら、上記従来技術１においては、検知スイッチによって引き抜きは検知できるものの、ロック機構を備えていないために、例えば，誤ってカードが通信中にユーザに引き抜かれるようなことがある。
【００２３】
一方、従来技術２及び３においては、イジェクトボタンをロックする等の機構が排出機構の別に必要となり、構成部品が多くなる。
【００２４】
更に，従来技術４においては、検知スイッチによってカードの挿入を検知し、手動でロックを解除する機構であるが、イジェクトが手動のボタン操作によるために、誤操作やイジェクトボタン等の誤って力が加わった場合には、通信中等に引き抜かれることが起こりうる。
【００２５】
そこで、本発明の一技術的課題は、カード通信中にユーザーが誤ってボタンを押す等のご操作による通信中のカードを排出を防止し、データ処理の信頼性を著しく向上したコネクタを提供することにある。
【００２６】
また、本発明のもう一つの技術的課題は、排出部を電動化することによって、ボタンをロックする等の機構を必要とはしないため、部品点数の削除が実現できるコネクタを提供することにある。
【００２７】
【課題を解決するための手段】
本発明によれば、カードと接続し、前記カードを離脱させるイジェクト機構を備え、前記イジェクト機構は、前記カードと当接し、前記カードを離脱させるイジェクトプレートと、前記イジェクトプレートを常時前記カードの離脱方向へ付勢する弾性部材と、前記カードが挿入された際に、前記イジェクトプレートと係合し、前記イジェクトプレートが離脱方向へ移動することを阻止するロックプレートとを備えたコネクタにおいて、更に、前記ロックプレートを操作して、前記イジェクトプレートとの係合を解除し、且つ回転自在にコネクタに配置されたレバーと、前記レバーを駆動するプランジャーを移動自在に保持したソレノイドとを備え、前記レバーは前記プランジャーの移動に連動して回転するものであり、前記ソレノイドへの通電をＯＮ又はＯＦＦすることによって、前記プランジャーを移動させて、前記カードを離脱するようにしたことを特徴とするカードイジェクト機構を備えたコネクタが得られる。
【００２８】
また、本発明によれば、前記カードイジェクト機構を備えたコネクタにおいて、前記コネクタは前記カードの挿入を検知するためのスイッチと、前記カードの嵌合離脱により摺動するスライダとを更に有し、前記スライダは当該スライダの摺動により、前記スイッチをＯＮ／ＯＦＦする操作部を備えていることを特徴とするカードイジェクト機構を備えたコネクタが得られる。
【００２９】
また、本発明によれば、前記カードイジェクト機構を備えたコネクタにおいて、前記スイッチのＯＮ／ＯＦＦによって、前記カードの装着の有無を検知するとともに、前記カードは通信に用いられ、前記カードが装着され且つ通信中で有る場合には、前記ソレノイドへの通電をＯＮ／ＯＦＦして、前記レバーの駆動又は現在位置を維持させ、前記ロックプレートと前記イジェクトプレートとの係合を維持するように構成されていることを特徴とするカードイジェクト機構を備えたコネクタが得られる。
【００３０】
また、本発明によれば、コネクタに設けられ、カードと接続し、前記カードを離脱させるイジェクト機構であって、前記カードと当接し、前記カードを離脱させるイジェクトプレートと、前記イジェクトプレートを常時前記カードの離脱方向へ付勢する弾性部材、例えば、スプリングと、前記カードが挿入された際に、前記イジェクトプレートと係合し、前記イジェクトプレートが離脱方向へ移動することを阻止するロックプレートとを備えた前記カードイジェクト機構において、更に、前記ロックプレートを操作して、前記イジェクトプレートとの係合を解除し、且つ回転自在にコネクタに配置されたレバーと、前記レバーを駆動するプランジャーを移動自在に保持したソレノイドとを備え、前記レバーは前記プランジャーの移動に連動して回転するものであり、前記ソレノイドへの通電をＯＮ又はＯＦＦすることによって、前記プランジャーを移動させて、前記カードを離脱するようにしたことを特徴とするカードイジェクト機構が得られる。
【００３１】
また、本発明によれば、前記カードイジェクト機構において、前記カードの嵌合離脱により摺動するスライダとを更に有し、前記スライダは、当該スライダの摺動により、前記カードの挿入を検知するためのスイッチをＯＮ／ＯＦＦする操作部を備えていることを特徴とするカードイジェクト機構が得られる。
【００３２】
また、本発明によれば、前記カードイジェクト機構において、前記スイッチのＯＮ／ＯＦＦによって、前記カードの装着の有無を検知するとともに、前記カードは通信に用いられ、カードが装着され、且つ通信中で有る場合には、前記ソレノイドへの通電をＯＮ／ＯＦＦして、前記レバーの駆動又は現在位置を維持させ、前記ロックプレートと、前記イジェクトプレートとの係合を維持するように構成されていることを特徴とするカードイジェクト機構が得られる。
【００３３】
【発明の実施の形態】
以下、本発明の実施の形態について図面を参照しながら説明する。
【００３４】
図１は本発明の実施の形態によるコネクタの正面図、図２は図１のコネクタにＩＣカードが挿入された状態からＩＣカードが排出されたときの部分側面断面図、図３は図１のコネクタの側面図、図４は図１のコネクタにＩＣカードが挿入される前の状態を示す背面図、図５は図１のコネクタにＩＣカードが挿入されたときの底面図、図６は図１のコネクタのロック解除状態を示す正面図である。以下の説明においては、説明の便宜上、コネクタのＩＣカードが挿入されるカード挿入口２３を有する側を前方、逆の側を後方と呼ぶ。
【００３５】
本発明の実施の形態によるコネクタは、従来技術４によるカードロック付コネクタにおいて、イジェクト用ボタン等に代わり、ソレノイドによる電動式イジェクト機構を備えたカードソケットコネクタである。
【００３６】
即ち、イジェクト機構付きＩＣカード用コネクタ（以下、単にコネクタと呼ぶ）１０のベースインシュレータ１は、略Ｕ字型にモールド成形され、コネクタのカバー２ａ及び２ｂ（以下、まとめて符号２で示す）は、略長方形にモールド成形される。
【００３７】
ベースインシュレータ１の中央部には、多数のコンタクト３が幅方向に並んで取り付けられ、また、ベースインシュレータ１には、略長方形のスライダ４が、ＩＣカードの挿入方向に図１の符号３１で示される位置から符号３２に示される位置までスライドすることができるように装着されている。スライダ４のスライド方向の左右両側は、断面コ字状に形成され、後に詳しく説明するように、突起部４Ｄが１対づつ設けられている、また、スライダ４の後端部から下方にむかっれ折り曲げによって形成された突当部４Ｃが形成されている。
【００３８】
ベースインシュレータ１の裏面外側部には、ロックプレート８の折曲部８Ａを当接して移動させるレバー５が設けられている。また、レバー５の一端の軸部５Ｅを収容する収容溝を備えたプランジャー７を吸引するソレノイド６が設けられている。プランジャー７は、ソレノイド６内部から延在する基部７ｂと、この基部７ｂよりも径の大きな大径部７ａと、ベースインシュレータ１の底部１ｂから突出した突出片に挿入貫通されるガイド部７ｃとを備え、ソレノイド６による吸引によって、プランジャー７をベースインシュレータ１の左外側部に沿って移動することができるように構成されている。ソレノイド６には、図示しない電気機器の駆動回路の電源に接続された通電用のケーブル６ｂ、６ｂが設けられている。
【００３９】
また、基部７ｂの周囲には、スプリング１５が設けられ、大径部７ａは、このスプリング１５によって、図４の位置から図６の位置へ移動するように常時付勢されている。
【００４０】
ベースインシュレータ１の左側表面の後半部には、ロックプレート８が、軸９を中心としてスプリング１６によって、図４の位置においては、左回りに付勢されて回転することができるように取り付けられている。尚、カード挿入の際には、挿入されるカードの側面によって、スプリング１６に抗して右回りに容易に回転するように構成されている。ロックプレート８には、レバー５の突起部５Ａに押される折曲部８Ａと、ＩＣカード２１の後端面をロックするロック部８Ｂと、後述するイジェクトプレート１１の一端に設けられた折曲部１１Ａに当接する制止部８Ｃが、設けられている。
【００４１】
ベースインシュレータ１の左側表面の前半部には、イジェクトプレート１１が、弾性部材であるスプリング１２に付勢されて図４に示される位置と図６に示される位置との間を移動することができるように装着されている。イジェクトプレート１１は、ベースインシュレータ１底面側に収容されている。
【００４２】
イジェクトプレート１１の他端に設けられた折曲部１１Ｂは、ＩＣカード２１がコネクタに挿入されるときには、スライダ４の後端面４Ｂによって押され、ＩＣカード２１がコネクタから排出されるときには、スライダ４の前端面４Ｂを押す。
【００４３】
ベースインシュレータ１の中央部の付近には、スイッチ部１３が設けられ、スイッチ部１３は、スライダ４の後端に突出した突出片からなる操作部４Ｅの接触によって開閉される。
【００４４】
更に、詳しく、本発明の実施の形態によるコネクタを説明する。図３においては、スライダプレート４の外側のベースインシュレータ１の側壁１ｃの内部が断面で示されている。
【００４５】
図２及び３に示されるように、スライダ４の左右両側面部に各２個の突起部４Ｄを設け、各２個の突起部４Ｄに対応するベースインシュレータ１の４箇所にカム溝孔２５が設けられている。各カム溝孔２５は、長い水平部２５Ａと、傾斜部２５Ｂと、短い水平部２５Ｃが、短い水平部２５Ｃが長い水平部２５Ａよりも下側になるように連続した形状に形成されている。
【００４６】
次に、本発明の実施の形態によるコネクタに、ＩＣカード２１を挿入するときの動作について説明する。
【００４７】
図１及び図６に示されるＩＣカード２１がコネクタから排出されたときの状態、即ち、ＩＣカード２１がコネクタに挿入を完了される直前の状態であって、レバー５は、一点鎖線で示される位置に復帰している状態では、ＩＣカード２１の前方の略３分の１は、スライダ４の下面に配置されて、スライダ４のスライド方向の左右両側に形成された断面コ字状部に支持され、スイッチ部１３は、まだ接続されていない。この状態で、ＩＣカード２１の後端面２１Ａを指先によって図１に示される矢印方向３３へ押すと、ＩＣカード２１の前端面２１Ｂがスライダ４の前端部から下方に突出した突当部４Ｃを押すため、ＩＣカード２１とスライダ４は、コネクタ１０の最奥部まで一体的に挿入される。すると、スライダ４の後端部の突出片４Ｅは、スイッチ部１３を接続し、また、スライダ４の前端面４Ｂは、イジェクトプレート１１の折曲部１１Ｂを押す。したがって、イジェクトプレート１１は、図１に示される位置から図４に示される位置まで、弾性部材であるスプリング１２の付勢力に抵抗しながら移動する。このとき、今までイジェクトプレート１１の折曲部１１Ａによって右回転を阻止されていたロックプレート８は、スプリング１６の付勢力によって図１の破線に示される位置まで右回転する。よって、ロックプレート８のロック部８Ｂは、ＩＣカード２１の後端面２１Ａをロックし、制止部８Ｃは、イジェクトプレート１１の折曲部１１Ａに当接する。なお、この状態においては、ソレノイド６には通電されていないので、プランジャ７はスプリング７の復帰力によって、図４に示されている位置までのびているので、これに係合しているレバー５の突起部５Ａは、ロックプレート８の折曲部８Ａから離れた位置にあり、影響を与えない。ゆえに、ＩＣカード２１がコネクタに挿入された図１に示される状態が、維持される。この状態では、ＩＣカード２１のコンタクト（図示せず）は、コネクタのコンタクト３に接触する。
【００４８】
図１に示されるＩＣカード２１が挿入される前のコネクタに、ＩＣカード２１の挿入を完了すると、図４に示される状態に至る。このコネクタでは、ＩＣカード２１の挿入操作のみによって、ロックプレート８のロック部８ＢがＩＣカード２１をロックする作用と、スライダ４がスイッチ部１３を接続する作用と、ＩＣカード２１のコンタクトがコネクタのコンタクト３に接触する作用の３つの作用が、得られる。
【００４９】
次に、ＩＣカード２１をコネクタから排出するときの動作について説明する。
【００５０】
図４に示されるＩＣカード２１がコネクタに挿入された状態において、ソレノイド６に通電すると、ソレノイド６はプランジャ７を吸引する。即ち、プランジャー７がスプリング１５の付勢力に抵抗しながら短くなる方向、即ち、図４においては上方に吸引されて、移動する。このプランジャー７の移動によって、大径部７ａに、軸５ｅが回転可能に軸支されたしたレバー５の突起部５Ａが、他方の軸２６回りに回転して、ロックプレート８の折曲部８Ａを押すので、ロックプレート８は軸９を中心として、一側の孔部８Ｅに接続されたスプリング１６の付勢力に抵抗しながら図４においては右回転する。すると、ロックプレート８のロック部８ＢがＩＣカード２１の後端面２１Ａから離脱し、また、制止部８Ｃがイジェクトプレート１１の折曲部１１Ａから離脱するので、イジェクトプレート１１はスプリング１２の付勢力によって移動する。このとき、イジェクトプレート１１の折曲部１１Ｂがスライダ４の前端面４Ｂを押すから、スライダ４とＩＣカード２１は一体となってスライドし、ＩＣカード２１はコネクタから排出され、図１又は図６に示される状態に至る。スイッチ部１３は、接続を遮断される。
【００５１】
次に、ＩＣカード２１がコネクタに挿入されるときのスライダ４のベースインシュレータ１に対する接近動作について順次説明する。
【００５２】
まず、スライダ４は、スライドの最初からスライド距離の約半ばまでの間、各突起部４Ｄが各長い水平部２５ａにガイドされるため、ベースインシュレータ１に対して平行にスライドする。したがって、このとき、ＩＣカード２１は、ベースインシュレータ１に圧接しない。
【００５３】
続いて、スライダ４は、各突起部４Ｄが各傾斜部２５ｂにガイドされるため、徐々にベースインシュレータ１に接近する。したがって、このとき、同様にＩＣカード２１もベースインシュレータ１に接近する。
【００５４】
最後に、スライダ４は、各突起部４Ｄが各短い水平部２５ｄにガイドされるため、ベースインシュレータ１に対して平行にスライドする。したがって、このとき、ＩＣカード２１の各コンタクトは、ベースインシュレータ１に取り付けられた各コンタクトに接触する。
【００５５】
ＩＣカード２１がコネクタから排出されるときのスライダ４のベースインシュレータ１に対する離隔動作は、前述した接近動作の順序が逆に変わって、行われる。
【００５６】
次にソレノイドの動作について説明する。ＩＣカード２１がコネクタ１０に装着されているときに、スライダ４の操作部４Ｅによって常にスイッチ部１３がＯＮとなり、ＩＣカード２１が挿入されていることが図示しない電子機器によって検知される。
【００５７】
通信状態において、ＩＣカードが使用されているときには、電子機器に設けられたイジェクトスイッチ等の入力手段によって、イジェクトのための操作を行っても、ソレノイド６には通電されないので、イジェクト機構は動作せず、ロックされたままである。
【００５８】
一方、通信状態でなく、ＩＣカードが使用されていないときには、図示しない電子機器に設けられたイジェクトスイッチ等の入力手段によってイジェクトのための操作を行うと、ソレノイド６に通電されて、ソレノイド６はプランジャー７を吸引し、プランジャー７を図４及び６では、上方に移動して、レバー５を駆動し、突起部５Ａによって、ロックプレート８の折り曲げ部８Ａを内側に押すことによって、ロックが解除されるとともに。ロックプレート８の制止部８Ｃと、イジェクトプレート１１の曲げ部１１Ａとの係合が解除され、イジェクトプレート１１がスライダ４をスプリング１２の付勢力によって挿入口２３側に向かって移動させることで、ＩＣカードが図１に示す位置に移動することによって、カードが排出される。
【００５９】
尚、上記イジェクトのための入力手段として、イジェクトスイッチ等を用いていたが、電子機器に搭載されたソフトウエア等によっても、通信休止状態、即ち、カードが通信に使用されていない際に、ソレノイドに通電することも可能である。
【００６０】
【発明の効果】
以上説明したように、本発明のイジェクト機構では、ソレノイドに通電することによってカードを排出するものであり、カード通信中にユーザーが誤ってボタンを押しても通電されないようなソフトを付加することにより、通信中のカードを排出を防止し、データ処理の信頼性を著しく向上したコネクタを提供することができる。
【００６１】
また、本発明によれば、排出部を電動化することによって、ボタンをロックする等の機構を必要とはしないため、部品点数の削除を実現するコネクタを提供することができる。
【図面の簡単な説明】
【図１】本発明の実施の形態によるコネクタの正面図である。
【図２】図１のコネクタにＩＣカードが挿入された状態からＩＣカードが排出されたときの部分側面断面図である。
【図３】図１のコネクタの側面図である。
【図４】図１のコネクタにＩＣカードが挿入される前の状態を示す背面図である。
【図５】図１のコネクタにＩＣカードが挿入されたときの底面図である。
【図６】図１のコネクタのロック解除状態を示す正面図である。
【図７】従来技術４によるコネクタのＩＣカード挿入されてロックされた状態を示す正面図である。
【図８】ロックが解除され、ＩＣカードが排出されたときの正面図である。
【図９】コネクタにＩＣカードが挿入されたときの側面から見た断面図である。
【符号の説明】
１　　ベースインシュレータ
１Ａ，１Ｂ　　長溝
１Ｃ　　カム溝孔
１Ｃ１　　長い水平部
１Ｃ２　　傾斜部
１Ｃ３　　短い水平部
１ｂ　　底部
１ｃ　　側壁
２，２ａ，２ｂ　　カバー
３　　コンタクト
４　　スライダ
４Ａ　　突起
４Ｂ　　後端面
４Ｃ　　突当部
４Ｄ　　突起部
４Ｅ　　操作部
５　　レバー
５Ａ　　突起部
５Ｅ　　軸部
６　　ソレノイド
６ｂ　　ケーブル
７　　プランジャー
７ａ　　大径部
７ｂ　　基部
７ｃ　　ガイド部
８　　ロックプレート
８Ａ　　折曲部
８Ｂ　　ロック部
８Ｃ　　制止部
９　　軸
１０　　イジェクト機構付きＩＣカード用コネクタ（コネクタ）
１１　　イジェクトプレート
１１Ａ　　折曲部
１１Ｂ　　折曲部
１２　　スプリング
１３　　スイッチ部
１５　　スプリング
１６　　スプリング
２１　　ＩＣカード
２１Ａ　　後端面
２３　　挿入口
２５　　カム溝孔
２５Ａ　　長い水平部
２５Ｂ　　傾斜部
２５Ｃ　　短い水平部
２６　　軸
５０　　コネクタ
５５　　ボタン
５６　　イジェクトバー
５６Ａ　　突出斜面部
５７　　スプリング
【図１】
2004047275.tif 000003
【図２】
2004047275.tif 000004
【図３】
2004047275.tif 000005
【図４】
2004047275.tif 000006
【図５】
2004047275.tif 000007
【図６】
2004047275.tif 000008
【図７】
2004047275.tif 000009
【図８】
2004047275.tif 000010
【図９】
2004047275.tif 000011